(57)【特許請求の範囲】
【請求項１】
建物の躯体壁面に大型タイルを固定するための大型タイル固定材であって、
前記躯体壁面に水平に配置するレール材と、前記レール材に水平方向に前記大型タイルの幅に合わせて複数取り付ける係合片と、からなり、
前記レール材は、前記壁面に固定する固定部と、前記固定部の一方の側縁から垂直に立設する鉤状のタイル係止部と、前記固定部の他方の側縁に設ける係合片連結部と、からなり、
前記係合片連結部は、前記固定部から立設する立ち上げ部と、前記立ち上げ部の端部から、前記固定部と逆方向かつ前記固定部と平行するように立設する係合片接合部と、からなり、
前記係合片は、前記躯体壁面に固定する固定部と、前記固定部の一方の側縁に設けるレール材連結部と、前記固定部の他方の側縁から垂直に立設する鉤状のタイル係合部と、からなり、
前記レール材の前記係合片接合部または前記係合片の前記レール材連結部のいずれかに、前記レール材の幅方向に形成した長孔を有し、
前記長孔を挿通する連結ピンによって、前記係合片を前記レール材に摺動可能に接合することを特徴とする、大型タイル固定材。
【請求項２】
請求項１に記載の大型タイル固定材を用いた、大型タイル乾式構造の構築方法であって、
前記躯体壁面に前記大型タイル固定材を前記係合片が上方に位置するように水平に複数段並列し、前記レール材を前記躯体壁面に固定し、
前記大型タイルの裏面には、水平に連続する上溝部および下溝部を設け、
前記大型タイルを、下に位置する前記大型タイルの前記上溝部を前記レール材の前記タイル係止部に係止し、上に位置する前記大型タイルの前記下溝部に前記係合片の前記タイル係合部を落とし込んで係合して、上下方向に並列し、
前記係合片の前記固定部を前記躯体壁面に固定することを特徴とする、大型タイル乾式構造の構築方法。
【請求項３】
建物の躯体壁面に大型タイルを固定するための大型タイル固定材であって、
前記躯体壁面に水平に配置するレール材と、前記レール材に水平方向に前記大型タイルの幅に合わせて複数取り付ける係合片と、からなり、
前記レール材は、前記壁面に固定する固定部と、前記固定部の一方の側縁から垂直に立設する鉤状のタイル係止部と、前記固定部の他方の側縁に設ける係合片連結部と、からなり、
前記係合片連結部は、前記固定部から立設する立ち上げ部と、前記立ち上げ部の端部から、前記固定部と逆方向かつ前記固定部と平行するように立設する係合片接合部と、からなり、
前記係合片は、前記躯体壁面に固定する固定部と、前記固定部の一方の側縁に設けるレール材連結部と、前記固定部の他方の側縁から垂直に立設する鉤状のタイル係合部と、からなり、
前記係合片は、前記レール材連結部と前記レール材の前記係合片接合部とを挿通する連結ピンにより、前記連結ピンを支点にして回動可能な状態で支持することを特徴とする、大型タイル固定材。
【請求項４】
請求項３に記載の大型タイル固定材を用いた、大型タイル乾式構造の構築方法であって、
前記躯体壁面に前記大型タイル固定材を前記係合片を回動して上方に位置した状態で水平に複数段並列して前記レール材を前記躯体壁面に固定し、
前記大型タイルの裏面には、水平に連続する上溝部および下溝部を設け、
前記大型タイルは、下に位置する前記大型タイルの前記上溝部を前記レール材の前記タイル係止部に係止し、前記係合片を回動して上に位置する前記大型タイルの前記下溝部に前記係合片の前記タイル係合部を落とし込んで係合することにより、上下方向に並列し、
前記係合片の前記固定部を前記躯体壁面に固定することを特徴とする、大型タイル乾式構造の構築方法。
【発明の詳細な説明】
【技術分野】
【０００１】
本発明は、建築物の外装材として大型タイルを用いるための、大型タイル固定材および大型タイル乾式構造の構築方法に関するものである。
【背景技術】
【０００２】
近年、建築物のデザイン化が進み、大型タイルによって外装仕上げを行うことが多くなっている。また、外断熱対応等、高機能壁に対する要望も多く、躯体と外装材との間に空間が必要となることも多い。
建築業界においては、外装材の剥落防止、落下防止の必要性が増大してきている。特に都心部では建築物の高層化が進み、湿式工法により施工された外装材の落下による第三者災害が懸念され、それに伴い、長期的に剥落、落下しない乾式工法の必要性が生じている。
特に、建築基準法の改正により、外装材の劣化、損傷の定期調査を行い、検査結果を報告することが義務づけられ、建築物所有者の安全性に対する責任が一層大きくなった。
【発明の概要】
【発明が解決しようとする課題】
【０００３】
従来の大型タイルの乾式工法としては、ＯＴセラミックス工法やデュベルファスナー工法などが知られている。
これらの従来工法には、以下のような問題点がある。
（１）焼成後のタイルを加工してファスナーを取り付けるため、タイルの強度が低下する。
（２）焼成後のタイルを加工してファスナーを取り付けるため、タイルに内部応力が残存する。
（３）ファスナー部分で結合する形態のため、結合部分の面積が小さい。
（４）ファスナー部分に応力が集中するため、タイルが破損する恐れがある。
（５）工場にてタイルにファスナーを取り付けるため、運搬時にタイルを重ね合わせることができず、運搬コストが上昇する。
（６）ファスナーを養生する養生材が必要となる。養生材は大型タイル施工後は廃棄物となり、環境に悪影響となる。
【０００４】
本発明は、ファスナーなどの治具を使用することなく、大型タイルを固定することができる大型タイル固定材および大型タイル乾式構造の構築方法を提供することを目的とする。
【課題を解決するための手段】
【０００５】
上記目的を達成するためになされた本願の第１発明は、建物の躯体壁面に大型タイルを固定するための大型タイル固定材であって、前記躯体壁面に水平に配置するレール材と、前記レール材に水平方向に前記大型タイルの幅に合わせて複数取り付ける係合片と、からなり、前記レール材は、前記壁面に固定する固定部と、前記固定部の一方の側縁から垂直に立設する鉤状のタイル係止部と、前記固定部の他方の側縁に設ける係合片連結部と、からなり、前記係合片連結部は、前記固定部から立設する立ち上げ部と、前記立ち上げ部の端部から、前記固定部と逆方向かつ前記固定部と平行するように立設する係合片接合部と、からなり、前記係合片は、前記躯体壁面に固定する固定部と、前記固定部の一方の側縁に設けるレール材連結部と、前記固定部の他方の側縁から垂直に立設する鉤状のタイル係合部と、からなり、前記レール材の前記係合片接合部または前記係合片の前記レール材連結部のいずれかに、前記レール材の幅方向の長孔を設け、前記長孔を挿通する連結ピンによって、前記係合片を前記レール材に摺動可能に接合することを特徴とする、大型タイル固定材を提供する。
本願の第２発明は、第１発明の大型タイル固定材を用いた、大型タイル乾式構造の構築方法であって、前記躯体壁面に前記大型タイル固定材を前記係合片が上方に位置するように水平に複数段並列し、前記レール材を前記躯体壁面に固定し、前記大型タイルの裏面には、水平に連続する上溝部および下溝部を設け、前記大型タイルは、下に位置する前記大型タイルの前記上溝部を前記レール材の前記タイル係止部に係止し、上に位置する前記大型タイルの前記下溝部に前記係合片の前記タイル係合部を落とし込んで係合することにより、上下方向に並列し、前記係合片の前記固定部を前記躯体壁面に固定することを特徴とする、大型タイル乾式構造の構築方法を提供する。
本願の第３発明は、建物の躯体壁面に大型タイルを固定するための大型タイル固定材であって、前記躯体壁面に水平に配置するレール材と、前記レール材に水平方向に前記大型タイルの幅に合わせて複数取り付ける係合片と、からなり、前記レール材は、前記壁面に固定する固定部と、前記固定部の一方の側縁から垂直に立設する鉤状のタイル係止部と、前記固定部の他方の側縁に設ける係合片連結部と、からなり、前記係合片連結部は、前記固定部から立設する立ち上げ部と、前記立ち上げ部の端部から、前記固定部と逆方向かつ前記固定部と平行するように立設する係合片接合部と、からなり、前記係合片は、前記躯体壁面に固定する固定部と、前記固定部の一方の側縁に設けるレール材連結部と、前記固定部の他方の側縁から垂直に立設する鉤状のタイル係合部と、からなり、前記係合片は、前記レール材連結部と前記レール材の前記係合片接合部とを挿通する連結ピンにより、前記連結ピンを支点にして回動可能な状態で支持することを特徴とする、大型タイル固定材を提供する。
本願の第４発明は、第３発明の大型タイル固定材を用いた、大型タイル乾式構造の構築方法であって、前記躯体壁面に前記大型タイル固定材を前記係合片を回動して上方に位置した状態で水平に複数段並列して前記レール材を前記躯体壁面に固定し、前記大型タイルの裏面には、水平に連続する上溝部および下溝部を設け、前記大型タイルは、下に位置する前記大型タイルの前記上溝部を前記レール材の前記タイル係止部に係止し、前記係合片を回動して上に位置する前記大型タイルの前記下溝部に前記係合片の前記タイル係合部を落とし込んで係合することにより、上下方向に並列し、前記係合片の前記固定部を前記躯体壁面に固定することを特徴とする、大型タイル乾式構造の構築方法を提供する。
【発明の効果】
【０００６】
本発明は、上記した課題を解決するための手段により、次のような効果の少なくとも一つを得ることができる。
（１）焼成後の大型タイルを加工することがないため、大型タイルの強度低下や内部応力の残存がない。
（２）大型タイルは、裏側に設けた連続する上溝部全体をレール材に係止するため、レール材との結合部分の面積が大きくなる。
（３）結合部分の面積が大きくなるため、応力が分散し、大型タイルが破損することがない。
（４）大型タイルにはファスナーなどの治具がないため、運搬時に重ね合わせることができ、運搬コストを下げることができる。
（５）ファスナーなどの治具がないため、養生材が不要であり、廃棄物が削減され、環境に悪影響を与えることがない。
【図面の簡単な説明】
【０００７】
【図１】大型タイル固定材の説明図
【図２】大型タイル固定材の部分拡大図（１）
【図３】大型タイル固定材の部分拡大図（２）
【図４】大型タイル乾式構造の説明図
【図５】大型タイル固定材の係合片の動作説明図
【図６】大型タイルの説明図
【図７】大型タイル固定材による大型タイル乾式構造の構築方法の説明図
【図８】その他の実施例にかかる大型タイル乾式構造の構築方法の説明図（１）
【図９】その他の実施例にかかる大型タイル固定材の部分拡大図
【図１０】その他の実施例にかかる大型タイル固定材の係合片の動作説明図
【図１１】その他の実施例にかかる大型タイル固定材による大型タイル乾式構造の構築方法の説明図（２）
【発明を実施するための形態】
【０００８】
以下、図面を参照しながら本発明の実施の形態について説明する。
【実施例】
【０００９】
［実施例１］
＜１＞大型タイル固定材の構成。
本発明の大型タイル固定材１は、レール材２と、レール材２に取り付ける複数の係合片３と、レール材２と係合片３を連結する連結ピン４と、からなる（図１、２、３）。
本発明の大型タイル固定材１は建物の躯体壁面Ｐ（外壁、内壁）に水平に並列し、大型タイル５をレール材２に係止した状態で、係合片３を係合することで、大型タイル５を躯体壁面Ｐに固定する（図４）。
大型タイル固定材１はステンレス鋼からなる。
【００１０】
＜２＞レール材。
レール材２は、躯体壁面Ｐに固定する固定部２１、固定部２１の一方の側縁に設けるタイル係止部２２、および、固定部２１の他方の側縁に設ける係合片連結部２３と、からなる。
【００１１】
＜２．１＞固定部。
固定部２１は、長尺の平板状の部材である。
固定部２１には、所定の間隔を隔ててビス孔２１１を設ける。
【００１２】
＜２．２＞タイル係止部。
タイル係止部２２は、固定部２１の一方の側縁から垂直に立設する部材である。
タイル係止部２２は、先端を固定部２１の方向に折曲して固定部２１と平行な係止爪２２１を形成し、鉤状とする。
【００１３】
＜２．３＞係合片連結部。
係合片連結部２３は、固定部２１の他方の側縁に設ける部材である。
係合片連結部２３は、固定部２１から垂直に立設する立ち上げ部２３１と、立ち上げ部２３１の先端に設ける係合片接合部２３２と、からなる。
係合片接合部２３２は、立ち上げ部２３１の先端を固定部２１と逆方向に折曲することにより固定部２１と平行に形成する。
係合片接合部２３２には、大型タイル５の幅と同じ間隔で、係合片接合部２３２の幅方向の長孔２３３を設ける。
【００１４】
＜３＞係合片。
係合片３は、躯体壁面Ｐに固定する固定部３１、固定部３１の一方の側縁に設けるレール材連結部３２、および、固定部３１の他方の側縁に設けるタイル係合部３３と、からなる。
【００１５】
＜３．１＞固定部。
固定部３１は、平板状の部材である。
固定部３１には、所定の間隔を隔ててビス孔３１１を設ける。
【００１６】
＜３．２＞レール材連結部。
レール材連結部３２は、固定部３１の一方の側縁に設ける部材である。
レール材連結部３２は、固定部３１から垂直に立設する立ち上げ部３２１と、立ち上げ部３２１の先端に設けるレール材接合部３２２と、からなる。
レール材接合部３２２は、立ち上げ部３２１の先端を固定部３１と逆方向に折曲することにより固定部３１と平行に形成する。
レール材接合部３２２には、ピン挿通孔３２３を設ける。
【００１７】
＜３．３＞タイル係合部。
タイル係合部３３は、固定部３１の他方の側縁から垂直に立設する部材である。
タイル係合部３３は、先端を固定部３１の方向に折曲して固定部３１と平行な係合爪３３１を形成し、鉤状とする。
【００１８】
＜４＞レール材と係合片の接合。
レール材２の係合片接合部２３２の下面に、係合片３のレール材接合部３２２の上面が接するように重合する（図２）。またはレール材２の係合片接合部２３２の上面に、係合片３のレール材接合部３２２の下面が接するように重合してもよい（図３）。
このとき、レール材２の固定部２１と係合片３の固定部３１が同じ平面に位置するように、立ち上げ部２３１、２２１の高さを設定しておく。
そして、レール材２の長孔２３３と係合片３のピン挿通孔３２３に連結ピン４を挿通し、レール材２と係合片３を接合した状態で連結する（図５ａ）。
このように連結することにより、長孔２３３の範囲内で係合片３がレール材２の幅方向に摺動可能となる（図５ｂ）。
また、長孔２３３をレール材２側、ピン挿通孔３２３を係合片３側に設けたが、係合片３側に長孔を設ける構成としてもよい。
【００１９】
［実施例２］
次に、実施例１の大型タイル固定材１を用いた大型タイル乾式構造の構築方法を説明する。
【００２０】
＜１＞大型タイルの構成。
大型タイル５は、一辺３００〜６００ｍｍの平面視矩形の板体である。
大型タイル５の裏面には、大型タイル５の上端付近に設ける上溝部５１と、下端付近に設ける下溝部５２と、を設ける（図６）。上溝部５１と下溝部５２はどちらも水平方向に連続する。
上溝部５１と下溝部５２の高さ方向の断面は、大型タイル５の裏面から表面に向けて、大型タイル５の外側方向に広がる形状とする。このような形状とすることにより、上溝部５１の上端および下溝部５２の下端には係合空間Ｓができる。
大型タイル５は焼成前に上溝部５１および下溝部５２を設けるため、焼成後の加工は行わない。焼成後の大型タイル５を加工することがないため、大型タイル５の強度低下や内部応力の残存がない。
【００２１】
＜２＞構築方法。
（１）部材の搬入。
大型タイル固定材１および大型タイル５を、工場から施工現場へ搬入する。
大型タイル固定材１は、工場において予めレール材２と係合片３は連結しておく。
大型タイル５は上溝部５１および下溝部５２を大型タイル固定材１に係止して固定するため、従来のようなファスナー等の治具を使用しない。このため、大型タイル５は運搬時に重ね合わせることができる。これにより、保管空間を削減し、運搬コストを下げることができる。また、治具を養生するための養生材も不要となり、廃棄物が削減され、環境に悪影響を与えることがない。
【００２２】
（２）レール材の固定。
大型タイル固定材１を施工を行う躯体壁面Ｐ表面に水平に配置する。このとき、係合片３を有する側が上方となるように配置する。
そして、ビス６を用いて躯体壁面Ｐにレール材２の固定部２１を固定する（図７ａ）。
大型タイル固定材１は、大型タイル５の高さと略同じ間隔で上下方向に複数段並列して固定する。
【００２３】
（３）大型タイルの係止。
上下に並列する大型タイル固定材１のうち、上方の大型タイル固定材１のタイル係止部２２に、大型タイル５の上溝部５１を係止する（図７ｂ）。
下方の大型タイル固定材１は、係合片３を上方向に摺動しておく。すると、大型タイル５を係止した後に躯体壁面Ｐに沿わせた時、係合片３の係合爪３３１が大型タイル５の下溝部５２内に位置する。
大型タイル５は裏面水平方向に連続する上溝部５１を大型タイル固定材１に係止するため、大型タイル５設置作業中であっても、大型タイル５全体を大型タイル固定材１によって安定して保持することができる。
【００２４】
（４）係合片の落とし込み。
係合片３を摺動させて、係合爪３３１を大型タイル５の下溝部５２の係合空間Ｓ内に落とし込むことによって、係合片３と大型タイル５を係合する（図７ｃ）。係合片３を摺動させるだけであるため、施工が容易である。
そして、ビス６を用いて躯体壁面Ｐに係合片３の固定部３１を固定する。
これにより、大型タイル５は、上方はレール材２、下方は係合片３により固定される。大型タイル５にかかる応力は横方向の全長に亘って支持する大型タイル固定材１に分散されるため、大型タイル５が破損する恐れがない。
【００２５】
［その他の実施例］
＜１＞縦胴縁の配置。
躯体壁面Ｐに高さ方向に亘って縦胴縁７を固定し、その上面に大型タイル固定材１および大型タイル５を固定してもよい（図８）。
大型タイル５を並列した際、目地部に大型タイル固定材１および縦胴縁７が裏当てされる構造となり、目地部から躯体側への雨水の浸入を防止できる。
縦胴縁７により、大型タイル５と躯体壁面Ｐとの間に空間が確保され、外断熱等の高機能壁に対応することができる。
また、縦胴縁７により、躯体壁面Ｐの不陸が調整でき、大型タイル固定材１および大型タイル５を均一に安定して固定できる。
【００２６】
＜２＞係合片の回動。
上記実施例においては、係合片３がレール材２の幅方向に摺動可能に構成したが、係合片３がレール材２に対して回動可能に構成してもよい。
係合片３のレール材連結部３２のレール材接合部３２２を一方の端部側を延設して延設部３２４を設け、その延設部３２４にピン挿通孔３２３を設ける。このとき、レール材２には長孔２３３の代わりにピン挿通孔２３４を設ける（図９）。
そして、レール材２の係合片接合部２３２の上面に、係合片３のレール材接合部３２２の下面が接するように重合し、レール材２のピン挿通孔２３４と係合片３のピン挿通孔３２３に連結ピン４を挿通し、レール材２と係合片３を接合した状態で連結する。
このように連結することにより、連結ピン４を支点として、係合片３がレール材２に対して回動可能となる（図１０）。
【００２７】
そして、大型タイル５を係止する際には、係合片３を上方向に回動しておき（図１１ａ）、大型タイル５を係止した後に係合片３を回動させて、係合片３の係合爪３３１を大型タイル５の下溝部５２の係合空間Ｓ内に落とし込むことによって、係合片３と大型タイル５を係合する（図１１ｂ）。係合片３を回動させるだけであるため、施工が容易である。
そして、ビス６を用いて躯体壁面Ｐに係合片３の固定部３１を固定する。
【符号の説明】
【００２８】
１      大型タイル固定材
２      レール材
２１    固定部
２１１  ビス孔
２２    タイル係止部
２２１  係止爪
２３    係合片連結部
２３１  立ち上げ部
２３２  係合片接合部
２３３  長孔
２３４  ピン挿通孔
３      係合片
３１    固定部
３１１  ビス孔
３２    レール材連結部
３２１  立ち上げ部
３２２  レール材接合部
３２３  ピン挿通孔
３２４  延設部
３３    タイル係合部
３３１  係合爪
４      連結ピン
５      大型タイル
５１    上溝部
５２    下溝部
６      ビス
７      縦胴縁
Ｐ      躯体壁面
Ｓ      係合空間
【図１】
0006282259.tif 000002
【図２】
0006282259.tif 000003
【図３】
0006282259.tif 000004
【図４】
0006282259.tif 000005
【図５】
0006282259.tif 000006
【図６】
0006282259.tif 000007
【図７】
0006282259.tif 000008
【図８】
0006282259.tif 000009
【図９】
0006282259.tif 000010
【図１０】
0006282259.tif 000011
【図１１】
0006282259.tif 000012